(57)【要約】【課題】身体へのフィット性に優れ使い心地が良好であり、従来よりも長時間の保冷効果を適度の温度帯で持続することができる保冷具を提供する。【解決手段】収納袋１１内に収納する不凍型ジェル１２と、複数の小袋１３内に分割封入された凍結型ジェル１４とを、収納袋１１の中に混在するように密閉収納する保冷具１０であって、凍結型ジェル１４を封入した小袋１３は角部が丸みを帯びる形状からなり、使用感及び身体へのフィット性に優れ且つ長時間の保冷効果を適度な温度帯で持続可能とした。【選択図】図１
2014100152.tif 000002
【特許請求の範囲】
【請求項１】
収納袋内に収納する不凍型ジェルと、複数の小袋内に分割封入された凍結型ジェルとを、該収納袋の中に混在するように密閉収納する保冷具であって、前記凍結型ジェルを封入した前記小袋は円形又は楕円形で角部が無い形状若しくは多角形・星型・ハート型又はキャラクター形状等の角部を有する任意の形状でその角部が丸みを帯びる形状からなり、使用感及び身体へのフィット性に優れ且つ長時間の保冷効果を適度な温度帯で持続可能としたことを特徴とする保冷具。
【請求項２】
前記凍結型ジェルを封入した前記小袋の断面形状が扁平であることを特徴とする請求項１に記載の保冷具。
【請求項３】
前記凍結型ジェルを封入した前記小袋は、前記収納袋内を自由に移動できる状態で収納されていることを特徴とする請求項１又は請求項２に記載の保冷具。
【請求項４】
前記凍結型ジェルを封入した前記小袋は、前記収納袋内に均等に配置されその状態を維持するように収納されていることを特徴とする請求項１又は請求項２に記載の保冷具。
【請求項５】
前記凍結型ジェルの融点は０℃に設定し、前記不凍型ジェルの融点は−２５℃〜−５℃の範囲内に設定することを特徴とする請求項１乃至請求項４に記載の保冷具。
【請求項６】
前記凍結型ジェルと前記不凍型ジェルの重量比率は、凍結型ジェル２０〜４０重量％、不凍型ジェル８０〜６０重量％であることを特徴とする請求項１乃至請求項５に記載の保冷具。
【発明の詳細な説明】
【技術分野】
【０００１】
本発明は、収納袋内に収納する不凍型ジェルに小袋内に封入された凍結型ジェルを混入して使用する保冷具に関するものである。
【背景技術】
【０００２】
従来から、病気による発熱時や打撲時、又は夏季などに清涼感を得るために使用する保冷具については、合成樹脂製の収納袋の中に保冷剤を収納したものが一般的に知られている。この保冷具は、例えば家庭では冷凍庫中に所要時間入れておいて、内部の保冷剤が凍結してから使用する。そのため、使用開始時には保冷具自体が硬く固まっている状態にあり、内部の保冷剤が融解して液状となるまではゴツゴツと硬い感触のまま使用せざるを得ない。
このような問題を解決するために、使用時の身体へのフィット性等を改善することを目的とした保冷具が以下に示すように様々提案されている。
【０００３】
実開平６−３１７１５号公報（特許文献１）には、従来の水と氷を入れた氷枕と同様の状態を維持する不凍物質入り氷枕を提供することを目的とし、氷枕の中に不凍物質を入れ、不凍物質の中に凍る物質入り袋を入れることを特徴とする「不凍物質入り氷枕」が提案されている。
【０００４】
また、特開平１１−２５３４７９号公報（特許文献２）には、使用部位への倣い性の向上と冷却効率の増大とを図り、再利用が可能で、かつ適用部位を選ばずに簡単に使用できる熱冷まし装置を提供することを目的とし、小さな袋に詰めた保冷剤を不凍液を注入した別の大きな袋の中に入れて該袋を閉じると共にこの袋を用途別のカバーで包んだことを特徴とする「熱冷まし装置」が提案されている。
【０００５】
また、特開２００１−６１８８２号公報（特許文献３）には、蓄冷材の冷却能力が、可及的に高い割合で、効果的に頭部の冷却に利用される主として保冷枕として使用される保冷袋を提供することを目的とし、本体袋内に上側に蓄冷材からなる層を下側に多数の合成樹脂製発泡粒状体からなる層を蓄冷材と合成樹脂製発泡粒状体とが相互に混り合わない態様で配設したことを特徴とする「保冷袋」が提案されている。
【０００６】
また、特開２００４−９７４９１号公報（特許文献４）には、冷凍庫で氷枕を速やかに冷やすことができ、さらに使用時にはほどよい冷たさが頭部に伝わる心地よい氷枕を提供することを目的とし、シート状又は板状の断熱性部材と該断熱性部材の上に重ね置きされ凍結型組成物が袋内に分割封入されてなる保冷袋と該保冷袋の上に積み重ねられ、袋内に不凍型組成物が収納されてなる不凍袋とこれら断熱シートと保冷袋と不凍袋とを重ね合わせて一体収納する外袋とを具備して枕状にした氷枕において、凍結型組成物に過冷却解除剤が配合され、且つ断熱性部材に複数の開孔が形成されてなることを特徴とする「氷枕」が提案されている。
【先行技術文献】
【特許文献】
【０００７】
【特許文献１】実開平６−３１７１５号公報
【特許文献２】特開平１１−２５３４７９号公報
【特許文献３】特開２００１−６１８８２号公報
【特許文献４】特開２００４−９７４９１号公報
【発明の概要】
【発明が解決しようとする課題】
【０００８】
本発明は、本願出願人が鋭意研究を行って独自の改良を加えて開発したものであり、身体へのフィット性に優れ使い心地が良好であり、従来よりも長時間の保冷効果を適度の温度帯で持続することができる保冷具を提供することを目的とする。
【課題を解決するための手段】
【０００９】
上記の課題を解決するために、請求項１に記載の発明は、収納袋内に収納する不凍型ジェルと、複数の小袋内に分割封入された凍結型ジェルとを、該収納袋の中に混在するように密閉収納する保冷具であって、前記凍結型ジェルを封入した前記小袋は円形又は楕円形で角部が無い形状若しくは多角形・星型・ハート型又はキャラクター形状等の角部を有する任意の形状でその角部が丸みを帯びる形状からなり、使用感及び身体へのフィット性に優れ且つ長時間の保冷効果を適度な温度帯で持続可能としたことを特徴とする。
【００１０】
また、請求項２に記載の発明は、請求項１に記載の前記凍結型ジェルを封入した前記小袋の断面形状が扁平であることを特徴とする。
【００１１】
また、請求項３に記載の発明は、請求項１又は請求項２に記載の前記凍結型ジェルを封入した前記小袋は、前記収納袋内を自由に移動できる状態で収納されていることを特徴とする。
【００１２】
また、請求項４に記載の発明は、請求項１又は請求項２に記載の前記凍結型ジェルを封入した前記小袋は、前記収納袋内に均等に配置されその状態を維持するように収納されていることを特徴とする。
【００１３】
また、請求項５に記載の発明は、請求項１乃至請求項４に記載の前記凍結型ジェルの融点は０℃に設定し、前記不凍型ジェルの融点は−２５℃〜−５℃の範囲内に設定することを特徴とする。
【００１４】
また、請求項６に記載の発明は、請求項１乃至請求項５に記載の前記凍結型ジェルと前記不凍型ジェルの重量比率は、凍結型ジェル２０〜４０重量％、不凍型ジェル８０〜６０重量％であることを特徴とする。
【発明の効果】
【００１５】
以上のように、本発明にかかる保冷具によれば、収納袋内に収納する不凍型ジェルに複数の小袋内に封入された凍結型ジェルを混入し、凍結型ジェルを封入した小袋は角部が無い形状又は角部が丸みを帯びる形状に形成しているので、冷凍庫で冷やして各小袋内の凍結型ジェルが凍結して固まった状態になってもその周囲に存在する不凍型ジェルが緩衝材として機能するのと相俟って、使用時において硬い感触を与えるのを防止できる。また、小袋の断面形状を扁平に形成することにより、使用感が良くなる。更に、各小袋が収納袋内を自由に移動できる状態で収納した場合は、身体へのフィット性がより優れたものとなる。このため、頭部・脚部などを載せて冷やすのに適した保冷具として使用することができる。
また、上記の各小袋が収納袋内に均等に配置されその状態を維持するように収納した場合は、首部・肩部などの所望する身体部位に当てて冷やすのに適した保冷具として使用することができる。
【００１６】
また、本発明にかかる保冷具によれば、凍結型ジェルの融点は０℃に設定し、不凍型ジェルの融点は−２５℃〜−５℃の範囲内に設定したので、凍結型ジェルは０℃近傍で速やかに凍結し、使用時には融解潜熱によって長時間の保冷が可能となる。
また、凍結型ジェルと不凍型ジェルの重量比率は、凍結型ジェル２０〜４０重量％、不凍型ジェル８０〜６０重量％に設定したので、従来よりも長時間の保冷効果を適度な温度帯（０℃〜１０℃）で持続すること可能となる。
【図面の簡単な説明】
【００１７】
【図１】本発明にかかる保冷具の第１実施形態を示す断面図である。
【図２】図１に示す保冷具の平面図である。
【図３】本発明にかかる保冷具の時間経過と温度の比較を示す図である。
【図４】本発明にかかる保冷具の第２実施形態を示す断面図である。
【図５】図４に示す保冷具の平面図である。
【発明を実施するための形態】
【００１８】
以下、本発明の実施の一形態について図面を参酌しながら説明する。
【００１９】
図１は本発明にかかる保冷具の第１実施形態を示す断面図、図２は図１に示す保冷具の平面図である。
図１及び図２に示すように、保冷具１０は、収納袋１１と小袋１３とを備え、複数の小袋１３内には凍結型ジェル１４が分割封入されており、不凍型ジェル１２と凍結型ジェル１４が入った複数の小袋１３が収納袋１１内に混在するように密閉収納されている。
【００２０】
収納袋１１は、ポリエチレン等の材質からなる樹脂製シートにより形成され、例えば、大きさはミニサイズ（１６０ｍｍ×２２０ｍｍ）・レギュラーサイズ（１８０ｍｍ×２８０ｍｍ）・ロングサイズ（１８０ｍｍ×３５０ｍｍ）に成形される。なお、材質、大きさについては、上記の内容に限定されるものではなく、用途に応じて又は一般家庭の冷蔵庫で冷凍する場合の所要空間の大きさ等を考慮して適宜の寸法とすればよい。
【００２１】
小袋１３は、ナイロンとポリエチレン等の材質からなる２層フィルムにより形成され、大きさは３ｍｍ〜８０ｍｍの範囲内で好ましくは２０ｍｍ〜６０ｍｍ（例えば、５０ｍｍ×５５ｍｍ）に成形される。なお、材質については、上記の内容に限定されるものではない。
【００２２】
凍結型ジェル１４を封入した小袋１３の形状は、図１及び図２に示すように、角部が丸みを帯びる形状でその断面形状が扁平に形成されている。このため、冷凍庫で冷やして各小袋１３内の凍結型ジェル１４が凍結して固まった状態になっても、使用時において硬い感触を与えるのを防止し、使用感が良くなる。また、各小袋１３が収納袋１１内を自由に移動できる状態で収納されている。このため、身体へのフィット性がより優れたものとなり、頭部・脚部などを載せて冷やすのに適した保冷具として使用することができる。なお、凍結型ジェル１４を封入した小袋１３の形状は、図１及び図２に示す形状に限定されるものではなく、円形又は楕円形で角部が無い形状若しくは多角形・星型・ハート型又はキャラクター形状等の角部を有する任意の形状でその角部が丸みを帯びる形状を採用することができる。
【００２３】
収納袋１１内に収納する不凍型ジェル１２は、例えば、水６５重量％に対して、塩化ナトリウム１８重量％、グリセリン１５重量％、カルボキシメチルセルロース２重量％を配合して、融点を−２０℃前後に調整している。一方、小袋１３内に封入する凍結型ジェル１４は、例えば、水９７．８重量％に対して、フィチン酸１重量％、カルボキシメチルセルロース１重量％、安息香酸Ｎａ０．２重量％を配合して、融点を０℃に調整している。なお、素材については、植物性由来素材、塩、食品添加物を使用することにより、万が一少量を口にしても安全であるといえるが、素材はこれらに限定されるものではない。
【００２４】
（実施例１）
保冷具１０のミニサイズ（１６０ｍｍ×２２０ｍｍ）について、具体的な保冷効果を説明する。不凍型ジェル１２の内容量は４８０ｇ、凍結型ジェル１４の内容量は小袋１２個（１個あたり１０ｇ）で合計１２０ｇ、全体重量は６００ｇとする。この保冷具１０を家庭用冷蔵庫の冷凍庫に入れて冷却し、小袋１３内の凍結型ジェル１４を凍結させる。図３は、本発明にかかる保冷具の時間経過と温度の比較を示す図である。図３のＡに示すように、実施例１にかかる保冷具１０については６時間以上の保冷効果があり、しかも安定した冷却温度を持続することができる。
【００２５】
（実施例２）
保冷具１０のレギュラーサイズ（１８０ｍｍ×２８０ｍｍ）について、具体的な保冷効果を説明する。不凍型ジェル１２の内容量は７７０ｇ、凍結型ジェル１４の内容量は小袋３３個（１個あたり１０ｇ）で合計３３０ｇ、全体重量は１１００ｇとする。この保冷具１０を家庭用冷蔵庫の冷凍庫に入れて冷却し、小袋１３内の凍結型ジェル１４を凍結させる。図３のＢに示すように、実施例２にかかる保冷具１０については８時間以上の保冷効果があり、しかも安定した冷却温度を持続することができる。
【００２６】
（実施例３）
保冷具１０のロングサイズ（１８０ｍｍ×３５０ｍｍ）について、具体的な保冷効果を説明する。不凍型ジェル１２の内容量は１１２０ｇ、凍結型ジェル１４の内容量は小袋４８個（１個あたり１０ｇ）で合計４８０ｇ、全体重量は１６００ｇとする。この保冷具１０を家庭用冷蔵庫の冷凍庫に入れて冷却し、小袋１３内の凍結型ジェル１４を凍結させる。図３のＣに示すように、実施例３にかかる保冷具１０については１０時間以上の保冷効果があり、しかも安定した冷却温度を持続することができる。
【００２７】
図４は本発明にかかる保冷具の第２実施形態を示す断面図、図５は図４に示す保冷具の平面図である。
図４及び図５に示すように、保冷具２０は、収納袋２１と小袋連結体２３と小袋２４とを備え、複数の小袋２４内には凍結型ジェル２５が分割封入されており、各小袋２４が均等に配置されその状態を維持するように小袋連結体２３の中に収納され、不凍型ジェル２２と凍結型ジェル２５が入った複数の小袋２４を収納する小袋連結体２３が収納袋１１内に密閉収納されている。
【００２８】
収納袋２１は、ポリエチレン等の材質からなる樹脂製シートにより形成され、例えば、大きさは６０ｍｍ×３００ｍｍに成形される。また。小袋連結体２３は、ポリエチレン等の材質からなる樹脂製シートにより形成され、例えば、大きさは５０ｍｍ×２７５ｍｍに成形される。なお、材質、大きさについては、用途に応じて又は一般家庭の冷蔵庫で冷凍する場合の所要空間の大きさ等を考慮して適宜の寸法とすればよい。また、小袋連結体２３は、各小袋２４が均等に配置されその状態を維持できるような構造であればよい。
【００２９】
小袋２４は、ナイロンとポリエチレン等の材質からなる２層フィルムにより形成され、大きさは３ｍｍ〜８０ｍｍの範囲内で好ましくは２０ｍｍ〜６０ｍｍ（上述した例示寸法の小袋連結体２３の場合は５０ｍｍ×５５ｍｍ）に成形される。なお、材質については、上記の内容に限定されるものではない。
【００３０】
凍結型ジェル２５を封入した小袋２４の形状は、図４及び図５に示すように、角部が丸みを帯びる形状でその断面形状が扁平に形成されている。このため、冷凍庫で冷やして各小袋２４内の凍結型ジェル２５が凍結して固まった状態になっても、使用時において硬い感触を与えるのを防止し、使用感が良くなる。また、各小袋２４が収納袋２１内に均等に配置されその状態を維持するように収納されている。このため、首部・肩部などの所望する身体部位に当てて冷やすのに適した保冷具として使用することができる。なお、凍結型ジェル２５を封入した小袋２４の形状は、図４及び図５に示す形状に限定されるものではなく、円形又は楕円形で角部が無い形状若しくは多角形・星型・ハート型又はキャラクター形状等の角部を有する任意の形状でその角部が丸みを帯びる形状を採用することができる。
【００３１】
収納袋２１内に収納する不凍型ジェル２２は、例えば、水７４重量％に対して、塩化ナトリウム１０重量％、グリセリン１５重量％、カルボキシメチルセルロース１重量％を配合して、融点を−１０℃前後に調整している。一方、小袋２４内に収納する凍結型ジェル２５は、例えば、水９７．８重量％に対して、フィチン酸１重量％、カルボキシメチルセルロース１重量％、安息香酸Ｎａ０．２重量％を配合して、融点を０℃に調整している。なお、素材については、植物性由来素材、塩、食品添加物を使用することにより、万が一少量を口にしても安全であるといえるが、素材はこれらに限定されるものではない。
【００３２】
（実施例４）
保冷具２０について、具体的な保冷効果を説明する。不凍型ジェル２２の内容量は１２０ｇ、凍結型ジェル２５の内容量は小袋５個（１個あたり１０ｇ）で合計５０ｇ、全体重量は１７０ｇとする。とする。この保冷具２０を家庭用冷蔵庫の冷凍庫に入れて冷却し、小袋２４内の凍結型ジェル２５を凍結させると２時間以上の保冷効果があり、しかも安定した冷却温度を持続することができる。
【符号の説明】
【００３３】
１０  保冷具
１１  収納袋
１２  不凍型ジェル
１３  小袋
１４  凍結型ジェル
２０  保冷具
２１  収納袋
２２  不凍型ジェル
２３  小袋連結体
２４  小袋
２５  凍結型ジェル
【図１】
2014100152.tif 000003
【図２】
2014100152.tif 000004
【図３】
2014100152.tif 000005
【図４】
2014100152.tif 000006
【図５】
2014100152.tif 000007